(57)【要約】【課題】簡易な構成でありながら、第２方向外側から衝撃が加わっても、現像剤カートリッジからの現像剤の漏れを抑制することができるプロセスカートリッジ、および、そのプロセスカートリッジを備える画像形成装置を提供すること。【解決手段】  プロセスカートリッジ１５では、カートリッジ装着部４４に、上下方向において現像カートリッジ１９と対向する装着部底壁６１、および、上下方向において現像カートリッジ１９よりも突出するように延びる延設部７２を設け、かつ、ドラム収容部４３の上側部分が、上下方向において現像カートリッジ１９の左右方向（軸線方向）中央部よりも突出するように構成する。【選択図】図５
2014016496.tif 000002
【特許請求の範囲】
【請求項１】
現像剤を収容するように構成される現像剤カートリッジと、
前記現像剤カートリッジが着脱可能な感光体カートリッジと、を有し、
前記感光体カートリッジは、
筐体と、
筐体に設けられ、軸線について回転するように構成される感光体とを有し、
前記筐体は、
前記感光体を収容する感光体収容部と、
前記感光体収容部と第１方向において隣接し、前記現像剤カートリッジを収容するカートリッジ収容部とを有し、
前記カートリッジ収容部は、前記現像剤カートリッジを収容する空間を形成する第１壁および第１部分を有し、
前記第１壁は、前記第１方向に延び、前記第１方向と交差する第２方向において前記現像剤カートリッジと対向し、
前記第１部分は、前記第１方向における前記第１壁の前記感光体収容部とは反対側の端部から、第２方向において前記現像剤カートリッジよりも突出するように延びて形成され、
前記感光体収容部は、前記第２方向において、前記現像剤カートリッジの前記軸線方向中央部よりも突出する第２部分を有することを特徴とする、プロセスカートリッジ。
【請求項２】
前記現像剤カートリッジは、前記第１方向において、前記第１部分と前記感光体収容部との間に配置されていることを特徴とする、請求項１に記載のプロセスカートリッジ。
【請求項３】
前記第１部分は、前記軸線方向に延びる略平板形状に形成されていることを特徴とする、請求項１または２に記載のプロセスカートリッジ。
【請求項４】
前記第１部分は、前記第２方向における前記第１壁側の端部である第１端部から、前記第２方向における前記第１端部とは反対側の端部である第２端部に向かうに従って、前記第１方向において前記現像剤カートリッジから離れるように傾斜していることを特徴とする、請求項１〜３のいずれか一項に記載のプロセスカートリッジ。
【請求項５】
前記第１部分は、前記第２方向における前記第１壁とは反対側に、感光体カートリッジを把持するための把持部を備えていることを特徴とする、請求項１〜４のいずれか一項に記載のプロセスカートリッジ。
【請求項６】
前記把持部の前記第２方向における前記第１壁とは反対側の端部は、前記軸線方向すべてにわたって、前記第２方向において現像カートリッジよりも突出していることを特徴とする、請求項５に記載のプロセスカートリッジ。
【請求項７】
前記把持部は、前記第１部分から前記第１方向において前記感光体収容部側に向かって突出する突出壁を有し、
前記突出壁の突出方向下流側の端部は、前記突出方向上流側の端部よりも前記第１壁側に配置されていることを特徴とする、請求項５または６に記載のプロセスカートリッジ。
【請求項８】
前記現像剤カートリッジは、前記カートリッジ収容部に対して回動されながら着脱されるように構成され、
前記筐体は、前記現像剤カートリッジに対して前記軸線方向外側から対向する第２壁を備え、
前記第２壁は、前記現像剤カートリッジの回動を案内するための案内部を備えていることを特徴とする、請求項１〜７のいずれか一項に記載のプロセスカートリッジ。
【請求項９】
前記案内部は、前記現像剤カートリッジの着脱方向に延びる溝部を有し、
前記現像剤カートリッジは、
前記軸線方向に突出し、前記溝部によって案内される被案内部と、
前記軸線方向に突出し、前記被案内部が前記案内部に案内されている状態で、前記感光体収容部に当接する当接部とを備えていることを特徴とする、請求項８に記載のプロセスカートリッジ。
【請求項１０】
前記現像剤カートリッジは、外部の電源に電気的に接続可能に構成される電極を備え、
前記第２壁の少なくとも一部は、前記電極よりも前記軸線方向外側に配置されることを特徴とする、請求項８または９に記載のプロセスカートリッジ。
【請求項１１】
前記カートリッジ収容部は、前記現像剤カートリッジの前記カートリッジ収容部からの離脱を規制するための規制部材を備え、
前記現像剤カートリッジは、前記規制部材と係合する被規制部を備え、
前記規制部材は、前記現像剤カートリッジの着脱方向に投影したときに、前記被規制部と重なるように配置されることを特徴とする、請求項１〜１０のいずれか一項に記載のプロセスカートリッジ。
【請求項１２】
前記現像剤カートリッジは、前記第１方向において前記感光体収容部とは反対側に、前記カートリッジ収容部に対して着脱されるときに把持されるための取っ手を備え、
前記カートリッジ収容部は、前記第２方向に投影したときに、前記取っ手と重なるように配置される押圧部材であって、前記現像剤カートリッジを前記感光体に向けて押圧する押圧部材を備えていることを特徴とする、請求項１〜１１のいずれか一項に記載のプロセスカートリッジ。
【請求項１３】
前記現像剤カートリッジは、前記第１壁に接触される接触部を備え、
前記第１壁は、前記押圧部材に対して、前記現像剤カートリッジの離脱方向上流側に配置される被接触部であって、前記接触部に接触されるように構成される被接触部を備えていることを特徴とする、請求項１２に記載のプロセスカートリッジ。
【請求項１４】
前記感光体収容部は、前記感光体を帯電するように構成される帯電器を、さらに備えていることを特徴とする、請求項１〜１３のいずれか一項に記載のプロセスカートリッジ。
【請求項１５】
前記第１部分は、前記カートリッジ収容部から分離可能に設けられていることを特徴とする、請求項１〜１４のいずれか一項に記載のプロセスカートリッジ。
【請求項１６】
請求項１〜１５のいずれか一項に記載のプロセスカートリッジと、
前記プロセスカートリッジを装着できるように構成される装置本体と、
装着された前記プロセスカートリッジに対して前記第１方向に間隔を隔てて対向配置され、前記感光体を露光するためのレーザ光を前記感光体に向かって出射可能に構成される露光装置と
を備え、
前記第１部分は、前記プロセスカートリッジが前記装置本体に装着された状態において、前記レーザ光に干渉しないように構成されていることを特徴とする、画像形成装置。
【請求項１７】
前記第１部分は、前記レーザ光に対して前記第２方向一方側に間隔を隔てるように構成されていることを特徴とする、請求項１６に記載の画像形成装置。
【請求項１８】
前記装置本体は、前記第２方向に移動可能に構成される移動部材を備え、
前記移動部材は、装着途中の前記プロセスカートリッジの前記第１部分を前記第２方向一方側へ押圧するように構成される押圧部を備え、
前記押圧部は、前記レーザ光に干渉しないように構成されていることを特徴とする、請求項１６または１７に記載の画像形成装置。
【請求項１９】
前記押圧部は、前記レーザ光に対して前記軸線方向外側に間隔を隔てるように構成されていることを特徴とする、請求項１８に記載の画像形成装置。
【請求項２０】
前記移動部材は、装着された前記プロセスカートリッジに対して、前記第２方向他方側に間隔を隔てるように構成されることを特徴とする、請求項１８または１９に記載の画像形成装置。
【発明の詳細な説明】
【技術分野】
【０００１】
本発明は、電子写真方式が採用される画像形成装置、および、その画像形成装置に装着されるプロセスカートリッジに関する。
【背景技術】
【０００２】
従来より、プロセスカートリッジが着脱自在に装着される、電子写真方式のプリンタが知られている。プロセスカートリッジは、感光ドラムを備えるドラムカートリッジと、現像剤を収容し、ドラムカートリッジに着脱自在に装着される現像カートリッジとを備えている。
【０００３】
そのようなプロセスカートリッジとして、例えば、現像カートリッジの上端部が、感光体カートリッジの上端部よりも上側に位置されるプロセスカートリッジが提案されている（例えば、特許文献１参照。）。
【先行技術文献】
【特許文献】
【０００４】
【特許文献１】特開２０１１−１３３７６３号公報
【発明の概要】
【発明が解決しようとする課題】
【０００５】
しかるに、特許文献１に記載のプロセスカートリッジでは、現像カートリッジの上端部がドラムカートリッジの上端部よりも上側に配置されているので、プロセスカートリッジの上側から衝撃が加わった場合、その衝撃が現像カートリッジの上端部に作用する場合がある。
【０００６】
例えば、プロセスカートリッジを誤って落下させてしまった場合、現像カートリッジの上端部が床面などに衝突する場合がある。そうすると、落下による衝撃が、現像カートリッジの上端部を介して、現像カートリッジに作用し、内部に収容される現像剤が漏れ出す場合がある。
【０００７】
そこで、本発明の目的は、簡易な構成でありながら、第２方向外側から衝撃が加わっても、現像剤カートリッジからの現像剤の漏れを抑制することができるプロセスカートリッジ、および、そのプロセスカートリッジを備える画像形成装置を提供することにある。
【課題を解決するための手段】
【０００８】
（１）上記目的を達成するために、本発明のプロセスカートリッジは、現像剤を収容するように構成される現像剤カートリッジと、現像剤カートリッジが着脱可能な感光体カートリッジとを有している。
【０００９】
感光体カートリッジは、筐体と、筐体に設けられ、軸線について回転するように構成される感光体とを有している。
【００１０】
筐体は、感光体を収容する感光体収容部と、感光体収容部と第１方向において隣接し、現像剤カートリッジを収容するカートリッジ収容部とを有している。
【００１１】
カートリッジ収容部は、現像剤カートリッジを収容する空間を形成する第１壁および第１部分を有し、第１壁は、第１方向に延び、第１方向と交差する第２方向において現像剤カートリッジと対向し、第１部分は、第１方向における第１壁の感光体収容部とは反対側の端部から、第２方向において現像剤カートリッジよりも突出するように延びて形成されている。
【００１２】
感光体収容部は、第２方向において、現像剤カートリッジの軸線方向中央部よりも突出する第２部分を有している。
【００１３】
このような構成によれば、カートリッジ収容部が、第２方向において現像剤カートリッジと対向する第１壁、および、第２方向において現像剤カートリッジよりも突出するように延びる第１部分を有し、かつ、感光体収容部が、第２方向において現像剤カートリッジの軸線方向中央部よりも突出する第２部分を有している。
【００１４】
そのため、第２方向において第１壁に対して現像剤カートリッジの反対側（以下、第２方向一方側とする。）から衝撃が加わった場合、その衝撃は、第１壁に作用する。一方、第２方向において現像剤カートリッジに対して第１壁の反対側（以下、第２方向他方側とする。）から衝撃が加わった場合、その衝撃は、第１部分および第２部分に作用する。
【００１５】
つまり、第２方向外側からプロセスカートリッジに加わる衝撃は、第１壁、または、第１部分および第２部分に作用し、それらを介して感光体カートリッジに作用する。
【００１６】
そのため、第２方向外側からプロセスカートリッジに加わった衝撃が、現像剤カートリッジに作用することを抑制できる。
【００１７】
とりわけ、プロセスカートリッジを誤って落下させてしまった場合には、第１壁、または、第１部分および第２部分が床面などと衝突する。そのため、その衝突による衝撃は、第１壁、または、第１部分および第２部分を介して感光体カートリッジに作用し、現像剤カートリッジに作用することが抑制される。その結果、現像剤カートリッジに収容される現像剤が漏れ出すことを抑制できる。
【００１８】
従って、簡易な構成でありながら、第２方向外側からプロセスカートリッジに衝撃が加わっても、現像剤カートリッジからの現像剤の漏れを抑制することができる。
（２）また、現像剤カートリッジは、第１方向において、第１部分と感光体収容部との間に配置されていてもよい。
【００１９】
このような構成によれば、現像剤カートリッジに対して、第１方向における一方側に第２部分を有する感光体収容部が配置され、第１方向における他方側に第１部分が配置されている。つまり、現像剤カートリッジの第１方向における両側には、第２方向において現像剤カートリッジよりも突出する部分（第１部分または第２部分）が配置されている。
【００２０】
そのため、第２方向他方側からの衝撃が、第１部分および第２部分に確実に作用し、現像剤カートリッジに作用することを確実に抑制できる。
（３）また、第１部分は、軸線方向に延びる略平板形状に形成されていてもよい。
【００２１】
このような構成によれば、第１部分が軸線方向に延びる略平板形状に形成されているので、第２方向他方側からプロセスカートリッジに衝撃が加わった場合、その衝撃が確実に第１部分に作用する。
【００２２】
そのため、第２方向他方側からの衝撃が、現像剤カートリッジに作用することをより一層確実に抑制できる。
（４）また、第１部分は、第２方向における第１壁側の端部である第１端部から、第２方向における第１端部とは反対側の端部である第２端部に向かうに従って、第１方向において現像剤カートリッジから離れるように傾斜している。
【００２３】
このような構成によれば、第１部分が第１端部から第２端部に向かうに従って現像剤カートリッジから離れるように傾斜しているので、現像剤カートリッジと第２端部との間に相対的に大きなスペースを確保することができる。
【００２４】
しかるに、第２方向他方側からの衝撃は、第１部分の第１壁側の端部（第１端部）と反対側の端部である第２端部に加わる。
【００２５】
このとき、現像剤カートリッジと第２端部との間に相対的に大きなスペースを確保することができるので、第２端部に加わった衝撃が、現像剤カートリッジに作用することをより一層確実に抑制できる。
（５）また、第１部分は、第２方向における第１壁とは反対側に、感光体カートリッジを把持するための把持部を備えていてもよい。
【００２６】
このような構成によれば、プロセスカートリッジを操作するときに、把持部を把持できる。そのため、プロセスカートリッジの操作性の向上を図ることができる。
【００２７】
とりわけ、プロセスカートリッジを装置本体に着脱するときに、把持部を把持できるので、プロセスカートリッジの装置本体に対する着脱作業の円滑化を図ることができる。
（６）また、把持部の第２方向における第１壁とは反対側の端部は、軸線方向すべてにわたって、第２方向において現像カートリッジよりも突出していてもよい。
【００２８】
このような構成によれば、把持部の第２方向における第１壁と反対側の端部が、軸線方向すべてにわたって、第２方向において現像剤カートリッジよりも突出しているので、把持部に対して容易にアクセスすることができる。
（７）また、把持部は、第１部分から第１方向において感光体収容部側に向かって突出する突出壁を有していてもよい。
【００２９】
また、突出壁の突出方向下流側の端部は、突出方向上流側の端部よりも第１壁側に配置されていてもよい。
【００３０】
このような構成によれば、把持部が突出壁を有しているので、ユーザは把持部を確実に把持できる。そのため、プロセスカートリッジの操作性のさらなる向上を図ることができる。
（８）また、現像剤カートリッジは、カートリッジ収容部に対して回動されながら着脱されるように構成されていてもよい。
【００３１】
また、筐体は、現像剤カートリッジに対して軸線方向外側から対向する第２壁を備えていてもよい。
【００３２】
また、第２壁は、現像剤カートリッジの回動を案内するための案内部を備えていてもよい。
【００３３】
しかるに、カートリッジ収容部は、現像剤カートリッジを着脱可能に収容するので、現像剤カートリッジを着脱させるための着脱スペースを有するように形成されている。
【００３４】
この点、上記の構成によれば、現像剤カートリッジが回動されながら着脱されるので、着脱スペースの低減を図ることができる。
【００３５】
そのため、カートリッジ収容部の小型化を図ることができ、ひいては、プロセスカートリッジの小型化を図ることができる。
【００３６】
また、感光体カートリッジの筐体が、現像剤カートリッジに対して軸線方向外側から対向する第２壁を備えているので、軸線方向外側からプロセスカートリッジに衝撃が加えられた場合、その衝撃が、第２壁を介して感光体カートリッジに作用する。
【００３７】
そのため、軸線方向外側からの衝撃が、現像剤カートリッジに作用することを抑制できる。
【００３８】
また、第２壁が案内部を備えているので、現像剤カートリッジの回動が案内部により案内され、現像剤カートリッジの円滑な回動動作を確保することができる。
（９）また、案内部は、現像剤カートリッジの着脱方向に延びる溝部を有していてもよい。この場合、現像剤カートリッジは、軸線方向に突出し、溝部によって案内される被案内部を備えている。
【００３９】
また、現像剤カートリッジは、軸線方向に突出し、被案内部が案内部に案内されている状態で、感光体収容部に当接する当接部とを備えていてもよい。
【００４０】
このような構成によれば、案内部が溝部を有し、現像剤カートリッジが被案内部を備えているので、現像剤カートリッジの被案内部が、カートリッジ収容部に着脱されるときに、溝部によって案内される。そのため、現像剤カートリッジのカートリッジ収容部に対する円滑な着脱動作を確保することができる。
【００４１】
また、現像剤カートリッジが当接部を備えているので、被案内部が案内部に案内されている状態、すなわち、現像剤カートリッジの着脱途中において、当接部と感光体収容部とが当接する。
【００４２】
そのため、現像剤カートリッジは、当接部と感光体収容部との当接部分を支点として、円滑に回動できる。その結果、現像剤カートリッジの円滑な回動動作を確実に確保できる。
（１０）また、現像剤カートリッジは、外部の電源に電気的に接続可能に構成される電極を備えていてもよい。
【００４３】
この場合、第２壁の少なくとも一部は、電極よりも軸線方向外側に配置されている。
【００４４】
このような構成によれば、現像剤カートリッジが電極を備えているので、現像剤カートリッジに外部からのバイアスを供給することができる。
【００４５】
また、第２壁の少なくとも一部が、電極よりも軸線方向外側に配置されているので、軸線方向外側からプロセスカートリッジに衝撃が加えられた場合、その衝撃が、第２壁に確実に作用する。
【００４６】
そのため、電極を備えることができながら、軸線方向外側からの衝撃が現像剤カートリッジに作用することを抑制できる。
（１１）また、カートリッジ収容部は、現像剤カートリッジのカートリッジ収容部からの離脱を規制するための規制部材を備えていてもよい。
【００４７】
この場合、現像剤カートリッジは、規制部材と係合する被規制部を備え、規制部材は、現像剤カートリッジの着脱方向に投影したときに、被規制部と重なるように配置される。
【００４８】
このような構成によれば、カートリッジ収容部が規制部材を備え、現像剤カートリッジが規制部材と係合する被規制部を備えているので、現像剤カートリッジのカートリッジ収容部からの所望しない離脱を規制できる。
【００４９】
そのため、例え、プロセスカートリッジを誤って落下させてしまった場合であっても、現像剤カートリッジがカートリッジ収容部から離脱することを抑制できる。その結果、現像剤カートリッジに落下による衝撃が作用することを確実に抑制できる。
（１２）また、現像剤カートリッジは、第１方向において感光体収容部とは反対側に、カートリッジ収容部に対して着脱されるときに把持されるための取っ手を備えていてもよい。
【００５０】
この場合、カートリッジ収容部は、第２方向に投影したときに、取っ手と重なるように配置される押圧部材であって、現像剤カートリッジを感光体に向けて押圧する押圧部材を備えている。
【００５１】
このような構成によれば、現像剤カートリッジが取っ手を備えているので、現像剤カートリッジをカートリッジ収容部に対して着脱するときに取っ手を把持でき、現像剤カートリッジのカートリッジ収容部に対する着脱作業の円滑化を図ることができる。
【００５２】
また、カートリッジ収容部が、現像剤カートリッジを感光体に向けて押圧する押圧部材を備えているので、現像剤カートリッジと感光体との相対的な位置決め精度の向上を図ることができる。
【００５３】
そして、取っ手と押圧部材とは、第２方向に投影したときに重なるように配置されているので、取っ手および押圧部材の効率的な配置を確保することができる。
（１３）また、現像剤カートリッジは、第１壁に接触される接触部を備えていてもよい。
【００５４】
この場合、第１壁は、押圧部材に対して、現像剤カートリッジの離脱方向上流側に配置される被接触部であって、接触部に接触されるように構成される被接触部を備えている。
【００５５】
このような構成によれば、現像剤カートリッジが接触部を備え、第１壁が接触部に接触される被接触部を備えているので、装着された現像剤カートリッジのカートリッジ収容部に対する相対的な位置決め精度の向上を図ることができる。
【００５６】
また、被接触部が、押圧部材に対して、現像剤カートリッジの離脱方向上流側に配置されているので、被接触部および押圧部材の効率的な配置を確保することができる。
（１４）また、感光体収容部は、感光体を帯電するように構成される帯電器を、さらに備えていてもよい。
【００５７】
このような構成によれば、感光体収容部が帯電器を備えているので、感光体を確実に帯電させることができる。
（１５）また、第１部分は、カートリッジ収容部から分離可能に設けられていてもよい。
【００５８】
このような構成によれば、第１部分とカートリッジ収容部とが分離可能に設けられているので、第１部分を、カートリッジ収容部とは別に成形した後、カートリッジ収容部に組み付けることができる。
【００５９】
そのため、第１部分とカートリッジ収容部とを一体として成形する場合と比較して、第１部分を容易に成形でき、製造コストの低減を図ることができる。
（１６）本発明の画像形成装置は、上記（１）〜（１５）のいずれか１つに記載のプロセスカートリッジと、プロセスカートリッジを装着できるように構成される装置本体と、装着されたプロセスカートリッジに対して第１方向に間隔を隔てて対向配置され、感光体を露光するためのレーザ光を感光体に向かって出射可能に構成される露光装置とを備えている。
【００６０】
また、第１部分は、プロセスカートリッジが装置本体に装着された状態において、レーザ光に干渉しないように構成されている。
【００６１】
このような構成によれば、画像形成装置が露光装置を備え、第１部分がレーザ光に干渉しないように構成されているので、感光体を確実に露光することができ、感光体に静電潜像を形成することができる。
【００６２】
そのため、プロセスカートリッジが第１部分を備えることができながら、感光体に確実に静電潜像を形成することができる。
（１７）また、第１部分は、レーザ光に対して第２方向一方側に間隔を隔てるように構成されていてもよい。
【００６３】
このような構成によれば、第１部分がレーザ光に対して第２方向一方側に間隔を隔てるように構成されているので、第１部分がレーザ光に干渉することを確実に抑制できる。
（１８）また、装置本体は、第２方向に移動可能に構成される移動部材を備えていてもよい。
【００６４】
この場合、移動部材は、装着途中のプロセスカートリッジの第１部分を第２方向一方側へ押圧するように構成される押圧部を備え、押圧部は、レーザ光に干渉しないように構成されている。
【００６５】
このような構成によれば、移動部材が押圧部を備えているので、プロセスカートリッジが装置本体に対して装着途中である場合（装置本体に対する装着が不十分である場合）、移動部材を移動させると、押圧部が第１部分を押圧する。そうすると、プロセスカートリッジは、第１部分を介して押圧部に押圧され、装着途中の位置から所定の装着位置に移動される。
【００６６】
すなわち、移動部材を移動させることにより、プロセスカートリッジを装置本体に確実に装着させることができる。
（１９）また、押圧部は、レーザ光に対して軸線方向外側に間隔を隔てるように構成されていてもよい。
【００６７】
このような構成によれば、押圧部が、レーザ光に対して軸線方向外側に間隔を隔てて配置されているので、押圧部がレーザ光に干渉することを確実に抑制できる。
（２０）また、移動部材は、装着されたプロセスカートリッジに対して、第２方向他方側に間隔を隔てるように構成されていてもよい。
【００６８】
このような構成によれば、移動部材が、プロセスカートリッジに対して、第２方向他方側に間隔を隔てるように配置されているので、第２方向におけるプロセスカートリッジと移動部材との間に、レーザ光を通過させるためのスペースを確保することができる。
【発明の効果】
【００６９】
本発明のプロセスカートリッジおよび画像形成装置では、簡易な構成でありながら、第２方向外側からプロセスカートリッジに衝撃が加わっても、現像剤カートリッジからの現像剤の漏れを抑制することができる。
【図面の簡単な説明】
【００７０】
【図１】本発明の画像形成装置の第１実施形態のプリンタを示す側断面図である。
【図２】図１に示すプロセスカートリッジを左上側から見た斜視図である。
【図３】図２に示すドラムカートリッジを左上側から見た斜視図である。
【図４】図２に示す現像カートリッジを左上側から見た斜視図である。
【図５】図２に示す現像カートリッジのドラムカートリッジに対する着脱を説明するための説明図であって、現像カートリッジが装着された状態における左側面図である。
【図６】図５に続いて現像カートリッジのドラムカートリッジに対する着脱を説明するための説明図であって、現像カートリッジが着脱途中の状態における左側面図である。
【図７】図６に続いて現像カートリッジのドラムカートリッジに対する着脱を説明するための説明図であって、現像カートリッジが離脱された状態における左側面図である。
【図８】図３に示すドラムカートリッジの平面図である。
【図９】（ａ）は、図２に示すプロセスカートリッジの平面図であり、（ｂ）は、（ａ）に示すプロセスカートリッジの平面図の右側部分の拡大図である。
【図１０】図９（ａ）に示すプロセスカートリッジのＡ−Ａ断面図である。
【図１１】図１に示すトップカバーの押込部によるプロセスカートリッジの押圧を説明するための説明図である。
【図１２】（ａ）は、本発明の画像形成装置の第２実施形態のプリンタにかかるプロセスカートリッジを左上側から見た斜視図であり、（ｂ）は、（ａ）に示すプロセスカートリッジの左側面図である。
【図１３】（ａ）は、本発明の画像形成装置の第３実施形態のプリンタにかかるプロセスカートリッジを左上側から見た斜視図であり、（ｂ）は、（ａ）に示すプロセスカートリッジの左側面図である。
【発明を実施するための形態】
【００７１】
１．プリンタの全体構成
画像形成装置の一例としてのプリンタ１は、図１に示すように、装置本体の一例としての本体ケーシング２を備えている。
【００７２】
本体ケーシング２は、略ボックス形状に形成され、その内部において、用紙Ｐを給紙するための給紙部３と、給紙された用紙Ｐに画像を形成するための画像形成部４とを収容している。
【００７３】
なお、プリンタ１およびプロセスカートリッジ１５（後述）に関し、方向について言及する場合には、それぞれを水平方向に載置したときの方向を基準とし、具体的には、各図に示した矢印方向を基準とする。
【００７４】
すなわち、プリンタ１に関する上下前後方向と、プロセスカートリッジ１５（後述）に関する上下前後方向とは若干異なり、プロセスカートリッジ１５（後述）は、図１に示すように、その前側がプリンタ１の前下側、その後側がプリンタ１の後上側となるように、プリンタ１に装着されている。
（１）本体ケーシング
本体ケーシング２には、プロセスカートリッジ１５（後述）を着脱するためのカートリッジ開口部５と、用紙Ｐを導入するための用紙開口部６とが形成されている。
【００７５】
カートリッジ開口部５は、本体ケーシング２の上端部において、上下方向（第２方向の一例）に貫通形成されている。
【００７６】
用紙開口部６は、本体ケーシング２の前端部における下端部において、前後方向（第１方向の一例）に貫通形成されている。
【００７７】
また、本体ケーシング２には、その上端部に、移動部材の一例としてのトップカバー７が設けられ、その前端部に、給紙カバー８が設けられている。
【００７８】
トップカバー７は、前後方向に延びる略平板形状に形成され、その下面における前後方向略中央部分に、押圧部の一例としての押込部１０が設けられている。
【００７９】
押込部１０は、ドラムカートリッジ１８（後述）の左右両側に設けられる被押込部７４（後述、図３参照）に対応するように複数（２つ）設けられ、左右方向に互いに間隔を隔てて対向配置されている。また、押込部１０は、トップカバー７の下面から下方に向かって突出する側面視略矩形状に形成され、左右方向に延びるように形成されている。
【００８０】
そして、トップカバー７は、その後端部を支点として、カートリッジ開口部５を閉鎖する閉鎖位置と、カートリッジ開口部５を開放する開放位置とに揺動（移動）可能に設けられている（図１に示す二点鎖線参照）。つまり、トップカバー７は、上下方向に移動可能である。
【００８１】
給紙カバー８は、上下方向に延びる略平板形状に形成されている。そして、給紙カバー８は、その下端部を支点として、用紙開口部６を閉鎖する第１位置と、用紙開口部６を開放する第２位置とに揺動（移動）可能に設けられている（図１に示す二点鎖線参照）。
（２）給紙部
給紙部３は、本体ケーシング２の底部に設けられる用紙載置部９を備えている。
【００８２】
用紙載置部９は、用紙開口部６を介して、本体ケーシング２の外部と連通されている。
【００８３】
そして、用紙Ｐは、給紙カバー８が第２位置に配置された状態において、その前側部分が給紙カバー８の上面にスタックされるとともに、その後側部分が用紙開口部６を介して用紙載置部９内にスタックされる。
【００８４】
また、給紙部３は、用紙載置部９の後端部上側に配置されるピックアップローラ１１と、ピックアップローラ１１の後側に配置される給紙ローラ１２と、給紙ローラ１２の後下側に対向配置される給紙パッド１３と、給紙パッド１３の後端部から連続して上方に向かって延びる給紙パス１４とを備えている。
（３）画像形成部
画像形成部４は、プロセスカートリッジ１５と、露光装置の一例としてのスキャナユニット１６と、定着ユニット１７とを備えている。
（３−１）プロセスカートリッジ
プロセスカートリッジ１５は、本体ケーシング２に対して着脱可能に構成され、給紙部３の後側部分の上側において、本体ケーシング２に装着されている。
【００８５】
プロセスカートリッジ１５は、感光体カートリッジの一例としてのドラムカートリッジ１８と、現像剤カートリッジの一例としての現像カートリッジ１９とを備えている。
【００８６】
ドラムカートリッジ１８は、感光体の一例としての感光ドラム２０と、転写ローラ２１と、帯電器の一例としてのスコロトロン型帯電器２２とを備えている。
【００８７】
感光ドラム２０は、左右方向に長手の略円筒形状に形成されており、左右方向に延びるドラム軸５４を備えている。感光ドラム２０は、ドラムカートリッジ１８の後側部分に回転可能に設けられている。
【００８８】
転写ローラ２１は、左右方向に延びる略円柱形状に形成され、感光ドラム２０に対して後側から圧接されている。
【００８９】
詳しくは、転写ローラ２１は、その軸中心が、感光ドラム２０の軸中心よりも僅かに下側に位置するように、感光ドラム２０の後側に配置されている。なお、転写ローラ２１の下端縁は、感光ドラム２０の下端縁よりも上側に配置されている。具体的には、転写ローラ２１の軸中心と感光ドラム２０の軸中心とを結ぶ仮想の線分（図示せず）と、前後方向に沿って水平に延びる仮想の直線（図示せず）とが形成する鋭角の角度は、約３°である。そのため、転写ローラ２１が感光ドラム２０に対して圧接される圧力（転写圧）には、転写ローラ２１の自重が影響しない。
【００９０】
スコロトロン型帯電器２２は、感光ドラム２０の前上側に間隔を隔てて対向配置されている。
【００９１】
詳しくは、スコロトロン型帯電器２２は、転写ローラ２１に対して、感光ドラム２０の周方向に間隔を隔てて配置されており、感光ドラム２０の軸中心と転写ローラ２１の軸中心とを結ぶ仮想の線分（図示せず）と、感光ドラム２０の軸中心と帯電ワイヤ２３（後述）とを結ぶ仮想の線分（図示せず）とが形成する角の角度が約１２０°となるように配置されている。
【００９２】
また、スコロトロン型帯電器２２は、帯電ワイヤ２３と、グリッド２４とを備えている。
【００９３】
帯電ワイヤ２３は、左右方向に延びるように張設され、感光ドラム２０の前上側に間隔を隔てて対向配置されている。
【００９４】
グリッド２４は、前上方に向かって開放された側面視略コ字状に形成され、帯電ワイヤ２３を後下側から囲うように設けられている。
【００９５】
現像カートリッジ１９は、感光ドラム２０の前下側に配置されており、現像フレーム２５を備えている。
【００９６】
現像フレーム２５内には、トナー収容室２６と現像室２７とが前後に並んで形成されている。トナー収容室２６と現像室２７とは、それらの容積がそれぞれ略同じに形成され、連通口２８により連通されている。
【００９７】
トナー収容室２６には、トナー（現像剤）が収容され、その前後上下方向略中央部分には、アジテータ２９が設けられている。つまり、アジテータ２９は、感光ドラム２０よりも下側に配置されている。
【００９８】
現像室２７には、その下壁における上面において、供給ローラ溝３０と、現像ローラ対向面３１と、ロアフィルム貼着面３２とが形成されている。
【００９９】
供給ローラ溝３０は、供給ローラ３３（後述）の周面に沿う略半円形状であって、後下方に向かって窪むように形成されている。
【０１００】
現像ローラ対向面３１は、現像ローラ３４（後述）の周面に沿う略円弧形状であって、供給ローラ溝３０の後端部から連続して後上方に向かって延びるように形成されている。
【０１０１】
ロアフィルム貼着面３２は、現像ローラ対向面３１の後端部から連続して後方に向かって延びるように形成されている。つまり、ロアフィルム貼着面３２は、現像ローラ対向面３１よりも上側に配置されている。
【０１０２】
また、ロアフィルム貼着面３２は、感光ドラム２０の下側部分に対して上下方向に間隔を隔てて対向配置されており、上下方向に投影したときに、感光ドラム２０の軸中心と重なるように配置されている。
【０１０３】
また、現像室２７には、供給ローラ３３と、現像ローラ３４と、層厚規制ブレード３５と、ロアフィルム３６とが設けられている。
【０１０４】
供給ローラ３３は、その下側部分が供給ローラ溝３０内に配置されるように、現像室２７の前側部分に回転可能に設けられている。これにより、供給ローラ３３は、トナー収容室２６の後側に配置されており、上下方向においてトナー収容室２６と略同じ高さ（トナー収容室２６よりも僅かに上側）に配置されている。
【０１０５】
現像ローラ３４は、その下側部分における周面と現像ローラ対向面３１とが互いに間隔を隔てて対向するように、現像室２７の後側部分に回転可能に設けられている。
【０１０６】
また、現像ローラ３４は、供給ローラ３３に後上側から接触するとともに、その上側および後側部分が現像室２７から露出されるように設けられ、感光ドラム２０に対して前下側から接触している。つまり、現像ローラ３４は、供給ローラ３３の後上側に配置されるとともに、感光ドラム２０の前下側に配置されている。そして、供給ローラ３３の軸中心、現像ローラ３４の軸中心および感光ドラム２０の軸中心は、感光ドラム２０の径方向に沿う略同一直線上に位置されている。
【０１０７】
また、現像ローラ３４は、スコロトロン型帯電器２２に対して、感光ドラム２０の周方向に間隔を隔てて配置されており、感光ドラム２０の軸中心と帯電ワイヤ２３とを結ぶ仮想の線分（図示せず）と、感光ドラム２０の軸中心と現像ローラ３４の軸中心とを結ぶ仮想の線分（図示せず）とが形成する角の角度が約１２０°となるように配置されている。つまり、現像ローラ３４、スコロトロン型帯電器２２および転写ローラ２１のそれぞれは、感光ドラム２０の周方向において略等間隔を隔てて配置されている。
【０１０８】
層厚規制ブレード３５は、その上端部が、現像室２７の上壁の後端部に固定され、その下端部が、現像ローラ３４に前側から接触されている。
【０１０９】
ロアフィルム３６は、その後側部分がロアフィルム貼着面３２に固定され、その前端部が、現像ローラ対向面３１の上方において、現像ローラ３４の周面と接触されている。
（３−２）スキャナユニット
スキャナユニット１６は、装着されたプロセスカートリッジ１５に対して、前方に間隔を隔てて対向配置され、詳しくは、プロセスカートリッジ１５の感光ドラム２０に対して、前後方向に間隔を隔てて対向配置されている。
【０１１０】
スキャナユニット１６は、画像データに基づいて、感光ドラム２０を露光するためのレーザービームＬ（レーザ光の一例）を、感光ドラム２０に向かって出射し、感光ドラム２０の周面を露光する。
【０１１１】
詳しくは、レーザービームＬは、スキャナユニット１６から後方に向かって出射され、複数（２つ）の押込部１０の間を通過して、感光ドラム２０の前端部における周面を露光する。つまり、感光ドラム２０が露光される露光点（感光ドラム２０の前端部における周面）は、感光ドラム２０の軸中心に対して、感光ドラム２０と転写ローラ２１とが接触するニップ点の反対側に設定されている。
【０１１２】
このとき、現像カートリッジ１９は、レーザービームＬの出射軌跡よりも下側に配置され、スコロトロン型帯電器２２は、レーザービームＬの出射軌跡よりも上側に配置されている。
【０１１３】
なお、スキャナユニット１６と感光ドラム２０との間に対応する本体ケーシング２の内側面には、プロセスカートリッジ１５の着脱を案内するガイド部３７が設けられている。そして、プロセスカートリッジ１５が本体ケーシング２から離脱されるときには、プロセスカートリッジ１５がガイド部３７にガイドされることにより、ドラムカートリッジ１８に装着される現像カートリッジ１９が、レーザービームＬの出射軌跡を下側から上側に向かって通過する。
【０１１４】
このとき、プロセスカートリッジ１５に設けられる各種ローラ（転写ローラ２１、供給ローラ３３および現像ローラ３４）も、レーザービームＬの出射軌跡を下側から上側に向かって通過する。
（３−３）定着ユニット
定着ユニット１７は、ドラムカートリッジ１８の後側部分の上側に配置されている。詳しくは、定着ユニット１７は、スコロトロン型帯電器２２の上方に配置される加熱ローラ３８と、加熱ローラ３８に対して後上側から圧接される加圧ローラ３９とを備えている。
【０１１５】
つまり、加熱ローラ３８は、スコロトロン型帯電器２２のグリッド２４の上端部（開放側端部）近傍に配置されている。
（４）画像形成動作
現像カートリッジ１９のトナー収容室２６内のトナーは、アジテータ２９の回転により、連通口２８を介して、供給ローラ３３に供給され、さらに、現像ローラ３４に供給され、供給ローラ３３と現像ローラ３４との間で正極性に摩擦帯電される。
【０１１６】
現像ローラ３４に供給されたトナーは、現像ローラ３４の回転に伴って、層厚規制ブレード３５によって厚さが規制され、一定厚さの薄層として現像ローラ３４の表面に担持される。
【０１１７】
一方、感光ドラム２０の表面は、スコロトロン型帯電器２２によって一様に帯電された後、スキャナユニット１６によって露光される。これにより、感光ドラム２０の周面には、画像データに基づく静電潜像が形成される。そして、現像ローラ３４に担持されるトナーが感光ドラム２０の周面上の静電潜像に供給されることにより、感光ドラム２０の周面上にトナー像（現像剤像）が担持される。
【０１１８】
用紙載置部９にスタックされた用紙Ｐは、ピックアップローラ１１の回転により、給紙ローラ１２と給紙パッド１３との間に送られ、給紙ローラ１２の回転により１枚ずつ捌かれる。その後、捌かれた用紙Ｐは、給紙ローラ１２の回転により、給紙パス１４に搬送されて、所定のタイミングで１枚ずつ、画像形成部４（感光ドラム２０（後述）と転写ローラ２１（後述）との間）に給紙される。
【０１１９】
そして、用紙Ｐは、感光ドラム２０と転写ローラ２１との間を下側から上側に向かって搬送される。このとき、用紙Ｐに、トナー像が転写され、画像が形成される。
【０１２０】
そして、用紙Ｐは、加熱ローラ３８と加圧ローラ３９との間を通過するときに加熱および加圧される。このとき、用紙Ｐには、画像が熱定着される。
【０１２１】
その後、用紙Ｐは、排紙ローラ４０に向けて搬送され、排紙ローラ４０によって、本体ケーシング２の上面に形成された排紙トレイ４１上に排紙される。
【０１２２】
このように用紙Ｐは、用紙載置部９から給紙され、感光ドラム２０と転写ローラ２１との間（ニップ点）を通過し、次いで、加熱ローラ３８と加圧ローラ３９との間を通過した後、排紙トレイ４１上に排紙されるように、側面視略Ｃ字状の搬送パスを搬送される。
２．プロセスカートリッジの詳細
プロセスカートリッジ１５は、図２に示すように、本体ケーシング２（図１参照）に着脱自在に装着されるドラムカートリッジ１８と、ドラムカートリッジ１８に着脱自在に装着される現像カートリッジ１９とを備えている。
（１）ドラムカートリッジ
ドラムカートリッジ１８は、図３に示すように、筐体の一例としてのドラムフレーム４２を備えている。
【０１２３】
ドラムフレーム４２は、略有底矩形枠形状に形成されており、その後側部分が、感光体収容部の一例としてのドラム収容部４３として形成され、その前側部分が、カートリッジ収容部の一例としてのカートリッジ装着部４４として形成されている。つまり、カートリッジ装着部４４は、図１０に示すように、ドラム収容部４３と前後方向において隣接するように、ドラム収容部４３の前側に配置されている。
（１−１）ドラム収容部
ドラム収容部４３は、図３に示すように、左右方向に延び、前側および下側が開放される略ボックス形状に形成され（図１参照）、左右方向に間隔を隔てて対向配置される１対の収容部側壁４５と、それら収容部側壁４５の下端部における後側部分を連結する転写ローラ支持部４６（図１０参照）と、それら収容部側壁４５の上端部を連結する上壁４７（第２部分の一例）とを備えている。
【０１２４】
１対の収容部側壁４５のそれぞれは、図５に示すように、上下前後に延びる側面視略矩形状の略平板形状に形成されている。
【０１２５】
収容部側壁４５には、その前端部における下側部分に、案内部５１が設けられている。
【０１２６】
案内部５１には、溝部の一例としてのガイド溝４８が形成され、係止部４９が設けられている。
【０１２７】
ガイド溝４８は、収容部側壁４５の前端縁から後方に向かって窪み、前側が開放される側面視略Ｕ字状に形成されている。ガイド溝４８の溝幅（上下方向長さ）は、現像カートリッジ１９のカラー部材８４（後述）の外径と略同じ長さ（僅かに長く）に形成されている。
【０１２８】
係止部４９は、ガイド溝４８の上側において、収容部側壁４５の前端部から後下方に向かって突出する側面視略矩形状に形成されている。また、係止部４９は、その下端縁が、ガイド溝４８の上端縁と連続するように設けられている。
【０１２９】
また、収容部側壁４５の前端縁において、係止部４９よりも上側の部分は、被当接部５０として区画されている。
【０１３０】
また、右側の収容部側壁４５には、図９（ｂ）に示すように、その右面における前下側部分に、厚肉部５９が一体的に設けられている。
【０１３１】
厚肉部５９は、右側の収容部側壁４５の右面から僅かに右方に向かって突出する平面視略矩形状に形成されている。
【０１３２】
転写ローラ支持部４６は、図１０に示すように、転写ローラ２１の周面に沿う側断面視略Ｕ字状に形成され、前上方に向かって開放されている。
【０１３３】
また、転写ローラ支持部４６は、第１リップ部５２を一体的に有している。
【０１３４】
第１リップ部５２は、転写ローラ支持部４６の前端部から連続して、下方に向かって延びる略平板形状に形成されている。
【０１３５】
上壁４７は、図３に示すように、左右方向に延びる略平板形状に形成されている。
【０１３６】
また、図１０に示すように、上壁４７と転写ローラ支持部４６の上端部との間の開口領域が、感光ドラム２０と転写ローラ２１とのニップ点を通過した用紙Ｐを排紙するための排紙開口部５３として区画されている。
【０１３７】
また、ドラム収容部４３には、感光ドラム２０と、転写ローラ２１と、スコロトロン型帯電器２２とが収容されている。
【０１３８】
感光ドラム２０と、転写ローラ２１とは、１対の収容部側壁４５間に支持されている。
【０１３９】
感光ドラム２０は、ドラム軸５４の左右方向両端部のそれぞれが、対応する収容部側壁４５の側面視略中央部分に配置され、収容部側壁４５を貫通するように左右方向外方へ突出することにより（図３参照）、１対の収容部側壁４５に対して、中心軸線Ａ（軸線の一例）を回転中心として相対回転可能に支持されている。
【０１４０】
転写ローラ２１は、転写ローラ支持部４６内に配置されるように、その左右両端部が、収容部側壁４５の後下側部分に配置され、１対の収容部側壁４５に対して相対回転可能に支持されている。
【０１４１】
なお、転写ローラ２１の左右方向長さは、感光ドラム２０の左右方向長さより短く形成されている。そのため、収容部側壁４５の後下側部分は、図３に示すように、転写ローラ２１を支持するために、左右の間隔が短くなるように形成されている。すなわち、収容部側壁４５は、その後端部が内側に向かう平面視略クランク状に形成されている。
【０１４２】
スコロトロン型帯電器２２は、上壁４７に埋設されている。スコロトロン型帯電器２２のグリッド２４の下端部は、上壁４７の下面から露出しており、感光ドラム２０の上側部分と対向している。
（１−２）カートリッジ装着部
カートリッジ装着部４４は、図３に示すように、現像カートリッジ１９の着脱を許容するように、上側および後側が開放される略ボックス形状に形成され、左右方向に間隔を隔てて対向配置される１対の装着部側壁６０と、それらの装着部側壁６０の下端部を連結する第１壁の一例としての装着部底壁６１と、それら装着部側壁６０の前端部を連結する前壁６２とを備えている。
【０１４３】
１対の装着部側壁６０のそれぞれは、図５に示すように、収容部側壁４５の前端部における下端部から連続して、前方に向かうに従って斜め上方に延びる略平板形状に形成されている。また、装着部側壁６０の上端縁は、ガイド溝４８の下端縁と連続し、前方に向かうに従って斜め上方に延びるように形成されている。被当接部５０、係止部４９、ガイド溝４８および装着部側壁６０の上端縁は、案内部５１を構成し、収容部側壁４５と装着部側壁６０とは、案内部５１を有する第２壁の一例として構成されている。
【０１４４】
装着部底壁６１は、図１０に示すように、第１リップ部５２の前側に間隔を隔てて配置されており、前後方向に延びる略平板形状に形成されている。また、装着部底壁６１は、第２リップ部６４と、被接触部６５とを一体的に有している。
【０１４５】
第２リップ部６４は、装着部底壁６１の後端部から連続して、後方に向かうに従って斜め上方に延びる略平板形状に形成されている。また、第２リップ部６４の後端部は、第１リップ部５２と前後方向に間隔を隔てて配置されており、第２リップ部６４の後端部と、第１リップ部５２の前端部との間の開口領域が、感光ドラム２０と転写ローラ２１とのニップ点に用紙Ｐを給紙するための給紙開口部６６として区画されている。
【０１４６】
そして、第２リップ部６４の左右両端部は、対応する収容部側壁４５の左右方向内側面における下端部に連結されている。
【０１４７】
被接触部６５は、装着部底壁６１の上面における前側部分に設けられ、現像カートリッジ１９が装着された状態（後述）において、現像フレーム２５の接触部９４（後述）と対向するように、装着部底壁６１の左右両端部にそれぞれ設けられている（図８参照）。また、被接触部６５は、装着部底壁６１の上面から前上方に向かって突出する側面視略矩形状に形成され、左右方向に延びる突条として形成されている（図８参照）。被接触部６５の遊端部は、断面略円弧形状に面取りされている。
【０１４８】
前壁６２は、装着部底壁６１の前端部から連続して、前方に向かうに従って斜め上方に傾斜するように形成されている。
【０１４９】
また、前壁６２には、図８に示すように、その後面において複数（２つ）の押圧部材収容部６７が形成されている。
【０１５０】
押圧部材収容部６７は、現像カートリッジ１９が装着された状態（後述）において、現像前壁７８（後述）における左右両側と対向するように、前壁６２の後面における左右両端部にそれぞれ設けられている。
【０１５１】
押圧部材収容部６７は、図１０に示すように、前壁６２の後面から前方に向かって凹む側面視略コ字状に形成されている。
【０１５２】
また、ドラム収容部４３とカートリッジ装着部４４とは、上壁４７の前端部と、装着部底壁６１の後端部と、それらに対応する収容部側壁４５の左右方向内側面とに区画されるフレーム開口部５５を介して連通されている。
【０１５３】
また、カートリッジ装着部４４には、図３に示すように、規制部材の一例としてのロックレバー６３と、押圧部材６８と、延設部７２とが設けられている。
【０１５４】
ロックレバー６３は、図８に示すように、右側の装着部側壁６０に設けられている。
【０１５５】
ロックレバー６３は、装着部側壁６０の前側部分に対して左側に設けられており、図示しない回転軸と、回転軸（図示せず）に対して下側に配置されるリフト部１０７と、回転軸（図示せず）に対して上側に配置される規制部９８とを一体的に有している。
【０１５６】
規制部９８は、平面視略矩形状の略平板形状に形成されている。
【０１５７】
そして、ロックレバー６３は、回転軸（図示せず）が装着部側壁６０に回転可能に支持されることにより、リフト部１０７が装着部側壁６０に対して上下方向に相対移動可能に設けられ、規制部９８が装着部側壁６０に対して前後方向に相対移動可能に設けられている。
【０１５８】
また、ロックレバー６３は、図９（ｂ）に示すように、図示しない付勢部材により、常には、規制部９８の後端部が相対的に後側に位置するように付勢されている。
【０１５９】
押圧部材６８は、図８に示すように、前壁６２の押圧部材収容部６７内に設けられ、平面視において、被接触部６５と前後方向において並ぶように、被接触部６５の前側に配置され、かつ、図１０に示すように、被接触部６５の前上側（詳しくは、離脱方向Ｙ（後述）の下流側）に配置されている。
【０１６０】
また、押圧部材６８は、本体部６９と、ばね部材７０とを備えている。
【０１６１】
本体部６９は、後端部が閉鎖された略角筒形状に形成されており、その後端面には、膨出部７１が一体的に設けられている。膨出部７１は、図１０に示すように、本体部６９の後端面略中央部分から後方に向かって膨出する側面視略円弧形状に形成されている。
【０１６２】
ばね部材７０は、前後方向に延びる圧縮コイルばねであり、本体部６９の内部空間に収容されている。
【０１６３】
そして、押圧部材６８は、本体部６９の後端部の前面と押圧部材収容部６７の後面との間にばね部材７０を挟むように配置されている。これにより、本体部６９は、ばね部材７０の付勢力により、常には、後方に向かって付勢されている。
【０１６４】
延設部７２は、図３に示すように、前壁６２に一体的に設けられている。なお、前壁６２および延設部７２が、第１部分の一例として構成される。
【０１６５】
延設部７２は、左右方向（長手方向）に延びる略平板形状に形成され、前壁６２の上端部における左右方向略中央部分から連続して、前壁６２と傾斜が略同じとなるように、前方に向かうに従って斜め上方に延びるように形成されている（図１０参照）。
【０１６６】
つまり、延設部７２は、ドラム収容部４３に対して前方に間隔を隔てて対向配置されており、延設部７２の上端部は、前壁６２の下端部よりも前側に配置されている。
【０１６７】
また、延設部７２は、把持部の一例としてのドラム把持部７３と、被押込部７４とを一体的に有している。
【０１６８】
ドラム把持部７３は、図３に示すように、延設部７２の後面における左右方向略中央部分に設けられ、突出壁の一例としての把持部分１０２と、突条部１０１とを一体的に有している。
【０１６９】
把持部分１０２は、図１０に示すように、延設部７２の後面における上端部から後方に向かって突出する側面視略三角形状に形成され、左右方向に延びるように形成されている（図３参照）。
【０１７０】
詳しくは、把持部分１０２の上端縁は、延設部７２の上端部から連続して、後方に向かうに従って下方に傾斜している。つまり、把持部分１０２の上端縁における後端部は、把持部分１０２の上端縁における前端部よりも、装着部底壁６１に近づくように、下側に位置している。また、把持部分１０２の下端縁は、把持部分１０２の後端部から連続して、前方に向かうに従って下方に傾斜している。
【０１７１】
突条部１０１は、把持部分１０２の下面における後端部から後下方に向かって突出する側面視略矩形状に形成され、左右方向に延びるように形成されている。これにより、ドラム把持部７３（把持部分１０２および突条部１０１）と、延設部７２とは、側面視略７字状に形成されている。
【０１７２】
被押込部７４は、図３に示すように、把持部分１０２の左右方向端部に対して左右方向外側から間隔を隔てて対向するように、延設部７２の後面における左右両端部のそれぞれに設けられている。
【０１７３】
被押込部７４は、図１０に示すように、延設部７２の後面から後方に向かって突出する略平板形状に形成され、上方に向かうに従って後方に膨出する側面視略三角形状に形成されている。
【０１７４】
詳しくは、被押込部７４は、その上端縁が、延設部７２の上端部から連続して、後方に延び、その後端縁が、上端縁の後端部から屈曲して下方に向かって延びるように形成されている。
【０１７５】
そして、カートリッジ装着部４４には、図３に示すように、ドラム収容部４３の前端部、装着部底壁６１の上面、１対の装着部側壁６０の左右方向内側面、前壁６２の後面、および、延設部７２の後面により、現像剤カートリッジを収容する空間の一例としての着脱スペースＳが区画されている。
（２）現像カートリッジ
現像カートリッジ１９は、図４に示すように、上記した現像フレーム２５を備えている。
【０１７６】
現像フレーム２５は、左右方向に延びる略ボックス形状に形成されており（図１０参照）、左右方向に互いに間隔を隔てて対向する１対の現像側壁７６（図９（ａ）参照）と、それら現像側壁７６の下端部を連結する現像底壁７７（図１０参照）と、それら現像側壁７６の前端部を連結する現像前壁７８（図１０参照）と、それら現像側壁７６の上端部を連結する現像上壁７５（図１０参照）とを備えている。
【０１７７】
１対の現像側壁７６のそれぞれは、図１０に示すように、上下前後に延びる側面視略矩形状の略平板形状に形成されている。
【０１７８】
右側の現像側壁７６には、図９（ｂ）に示すように、被規制部９７と、突部（図示せず）とが設けられている。
【０１７９】
被規制部９７は、右側の現像側壁７６の右面における前端部に設けられ、右側の現像側壁７６の右面から右方に向かって突出する平面視略矩形状に形成されている。
【０１８０】
突部（図示せず）は、ロックレバー６３のリフト部１０７（図８参照）に対応して、被規制部９７の後側に設けられ、右側の現像側壁７６の右面から右方に向かって突出するように形成されている。
【０１８１】
現像底壁７７は、図１０に示すように、前後方向に延びる略平板形状に形成され、その下面には、被押圧部９９と、接触部９４とが設けられている。
【０１８２】
被押圧部９９は、図４に示すように、現像底壁７７の底面における前端部に設けられ、複数（２つ）の押圧部材６８に対応して、現像底壁７７の左右両端部にそれぞれ設けられている（図４参照）。
【０１８３】
２つの被押圧部９９のそれぞれは、左右方向に間隔を隔てて対向配置される１対の突出部１００を有している。
【０１８４】
突出部１００は、図１０に示すように、現像底壁７７の底面から前下方に向かって突出する側面視略三角形状の略平板形状に形成されている。
【０１８５】
詳しくは、突出部１００は、その前端縁が、現像底壁７７の底面から下方に向かって延び、その下端縁が、前端縁の下端部から屈曲して後下方に向かって延びるように形成されている。
【０１８６】
接触部９４は、複数（２つ）の被接触部６５に対応して、現像底壁７７の左右両端部にそれぞれ設けられている。また、接触部９４は、前後方向に投影したときに、１対の突出部１００の間に位置するように、被押圧部９９の後下側に配置されている（図４参照）。
【０１８７】
また、接触部９４は、現像底壁７７の底面から下方に向かって突出するように、前下方に向かう頂部を有する側面視略三角形状の略平板形状に形成されている。詳しくは、その前端縁が、現像底壁７７の底面から後下方に向かって延び、その下端縁が、前端縁の下端部から屈曲して後上方に向かって延びるように形成されている。
【０１８８】
現像前壁７８は、現像底壁７７の前端部から連続して上方に向かって延びる略平板形状に形成されている。
【０１８９】
現像上壁７５は、現像前壁７８の上端部から連続して後方に向かって延びる略平板形状に形成されている。
【０１９０】
また、現像フレーム２５の現像室２７には、現像ローラ３４が設けられ、現像フレーム２５の前端部には、取っ手の一例としての現像把持部７９が一体的に設けられている。
【０１９１】
現像ローラ３４は、左右方向に延びる金属製の現像ローラ軸８０と、現像ローラ軸８０の左右両端部が露出するように現像ローラ軸８０を被覆するゴムローラ８１とを備えている。
【０１９２】
そして、現像ローラ３４は、現像ローラ軸８０の左右両端部のそれぞれが、対応する現像側壁７６の後端部に配置され、現像側壁７６を貫通するように左右方向外方へ突出することにより、１対の現像側壁７６に対して相対回転可能に支持されている。
【０１９３】
そして、現像ローラ軸８０の左右方向両端部（突出部分）のそれぞれには、図４に示すように、被案内部の一例としてのカラー部材８４が設けられている。
【０１９４】
カラー部材８４は、左右方向に延び、左右方向外側端部が閉鎖された略円筒形状に形成されている。カラー部材８４の内径は、現像ローラ軸８０の左右方向端部の外径と略同径（僅かに大径）に形成されている。そして、カラー部材８４は、その内部空間に現像ローラ軸８０の左右方向端部が挿通されるように、現像ローラ軸８０の左右方向端部に径方向外側から嵌合している。
【０１９５】
現像把持部７９は、正面視略矩形状の略平板形状に形成され、現像前壁７８の前面における左右両端部のそれぞれに設けられている。また、現像把持部７９は、図１０に示すように、現像前壁７８の前面における上端部から連続して、前方に向かうに従って斜め上方に傾斜するように形成されている。
【０１９６】
また、現像カートリッジ１９には、図４に示すように、左側の現像側壁７６の外側面（左側面）に駆動ユニット８２が設けられ、右側の現像側壁７６の外側面（右側面）に、電極の一例としての給電ユニット８３が設けられている。
【０１９７】
駆動ユニット８２は、現像カップリング８５と、ギアカバー８６とを備えている。
【０１９８】
現像カップリング８５は、左右方向に延びる略円柱形状に形成されている。現像カップリング８５は、左側の現像側壁７６（図９（ａ）参照）に回転可能に支持されている。
【０１９９】
また、現像カップリング８５の左端面には、結合凹部９２が形成されている。結合凹部９２は、現像カップリング８５の左端面から右方に向かって凹むように、現像カップリング８５の径方向に延びる側面視略長穴形状に形成されている。結合凹部９２には、本体ケーシング２内に設けられる本体カップリング（図示せず）の結合凸部（図示せず）が駆動伝達可能に嵌合され、プリンタ１からの駆動力が入力される。
【０２００】
ギアカバー８６は、右方および後方に向かって開放される略ボックス形状に形成されている。ギアカバー８６は、現像カップリング８５を収容するように、現像フレーム２５の左側の現像側壁７６（図９（ａ）参照）に固定されている。
【０２０１】
また、ギアカバー８６の左側壁９３は、上下前後に延びる略平板形状に形成されており、左側壁９３には、カラー露出溝８７と、カップリングカラー８８と、当接部８９とが形成されている。
【０２０２】
カラー露出溝８７は、左側壁９３の後端縁から前下方に向かって切り欠かれるように、後上方に向かって開放される側面視略Ｃ字状に形成されている。カラー露出溝８７の溝幅（内径）は、カラー部材８４の外径よりも僅かに大きく形成されている。カラー露出溝８７内には、カラー部材８４が左方に向かって突出するように挿通されている。
【０２０３】
カップリングカラー８８は、カラー露出溝８７の前上側において、左側壁９３から左方に向かって延びる略円筒形状に形成されている。カップリングカラー８８は、その右端部において、ギアカバー８６の内側（右側）に連通されている。カップリングカラー８８内には、結合凹部９２が露出されるように、現像カップリング８５の左端部が挿通されている。
【０２０４】
当接部８９は、カップリングカラー８８の上側において、左側壁９３の左面から左方へ向かって突出する略柱形状に形成されている。
【０２０５】
また、当接部８９は、図５に示すように、前上方および後下方に延びる側面視略爪形状に形成され、その上面および後面には、ガイド湾曲面９１が区画されている。
【０２０６】
ガイド湾曲面９１は、当接部８９の上端部において区画される上端面９５と、当接部８９の後端部において区画される後端面９０と、上端面９５と後端面９０との間に区画される連続面９６とを有している。
【０２０７】
上端面９５は、当接部８９の上端部において、上方に向かって膨出する側面視略円弧形に形成されている。
【０２０８】
連続面９６は、上端面９５の後端部から連続して、後方に向かうに従って斜め下方に傾斜するように形成されている。
【０２０９】
連続面９６は、連続面９６の後端部から屈曲して下方に向かって延びるように形成されている。
【０２１０】
なお、ガイド湾曲面９１は、現像フレーム２５の右側の給電ユニット８３にも左右対称となる形状および配置にて設けられている。
【０２１１】
給電ユニット８３は、図１に示すように、プロセスカートリッジ１５が本体ケーシング２に装着された状態において、本体ケーシング２に設けられる外部の電源の一例としての本体電極（図示せず）に電気的に接続されるように構成されている。
【０２１２】
給電ユニット８３は、図９（ｂ）に示すように、前後方向に延びる平面視略矩形状に形成され、供給ローラ３３に対して電気的に接続される供給電極（図示せず）や、現像ローラ３４に対して電気的に接続される現像電極（図示せず）などから構成されている。
３．現像カートリッジのドラムカートリッジに対する着脱動作
次に、現像カートリッジ１９のドラムカートリッジ１８に対する着脱を説明する。
（１）現像カートリッジのドラムカートリッジに対する装着動作
現像カートリッジ１９をドラムカートリッジ１８に装着するには、図７に示すように、現像カートリッジ１９の現像把持部７９を把持して、カートリッジ装着部４４の着脱スペースＳに、現像カートリッジ１９の後端部を上側から挿入する。
【０２１３】
そうすると、カラー部材８４が、装着部側壁６０の上端部に当接するとともに、当接部８９のガイド湾曲面９１の上端面９５が、収容部側壁４５の被当接部５０に前側から当接する。
【０２１４】
次いで、上端面９５と被当接部５０との当接部分を支点として、装着方向Ｘ（左側面視略時計回り）に回動させる。
【０２１５】
そうすると、カラー部材８４が、図６に示すように、装着部側壁６０の上端縁に沿って後下方に向かって移動し、現像カートリッジ１９の前端部が前下方に向かって移動される。
【０２１６】
次いで、現像カートリッジ１９を装着方向Ｘに沿ってさらに回動させると、図５に示すように、カラー部材８４が、案内部５１のガイド溝４８内に挿入されるとともに、現像カートリッジ１９の前端部がカートリッジ装着部４４の前端部内に収容される。このように、案内部５１は、現像カートリッジ１９の回動を案内し、ガイド溝４８は、装着方向Ｘに沿って延びるように形成されている。
【０２１７】
また、案内部５１の係止部４９は、カラー部材８４の上側に対向し、カラー部材８４を上下方向において係止している。
【０２１８】
また、現像カートリッジ１９の接触部９４の下端縁が、図１０に示すように、対応する被接触部６５の遊端部に上側から接触する。
【０２１９】
また、現像カートリッジ１９の１対の突出部１００の前端縁は、対応する押圧部材６８の膨出部７１に前側から接触される。これにより、現像カートリッジ１９は、後方（感光ドラム２０）に向かって押圧され、常には、現像ローラ３４のゴムローラ８１が、感光ドラム２０に前下側から圧接する。
【０２２０】
このとき、現像カートリッジ１９は、前後方向において、前壁６２および延設部７２（第１部分）と、ドラム収容部４３との間に配置され、着脱スペースＳに収容される。
【０２２１】
以上によって、現像カートリッジ１９のカートリッジ装着部４４に対する装着が完了し、プロセスカートリッジ１５が形成される。
【０２２２】
このとき、装着部底壁６１は、現像カートリッジ１９と上下方向において対向するように配置され、収容部側壁４５および装着部側壁６０は、図５に示すように、現像カートリッジ１９に対して、左右方向外側から対向するように配置される。
【０２２３】
また、右側の収容部側壁４５の厚肉部５９は、図９（ｂ）に示すように、その右端部が、給電ユニット８３の右端部よりも僅かに右側（長手方向外側）に配置される。
【０２２４】
また、延設部７２の上端部は、図５に示すように、その左右方向すべてにわたって、現像カートリッジ１９の上端部、すなわち、現像把持部７９の上端部よりも、上側に位置している。
【０２２５】
つまり、前壁６２および延設部７２は、図１０に示すように、装着部底壁６１の前端部に連結される前壁６２の下端部（第１端部の一例）から、上下方向において現像カートリッジ１９よりも突出するように、一体的に延びて形成されている。また、前壁６２および延設部７２は、前壁６２の下端部から延設部７２の上端部（第２端部の一例）に向かうに従って、現像カートリッジ１９から離れるように、前方に向かって傾斜している。
【０２２６】
また、ドラム把持部７３は、延設部７２の上端部に設けられており、プロセスカートリッジ１５における上端部に配置されている。また、ドラム把持部７３の把持部分１０２の上端部は、その左右方向すべてにわたって、現像把持部７９の上端部よりも、上側に位置している。
【０２２７】
また、ドラム収容部４３の上端部（上壁４７の上端部）は、図２および図５に示すように、現像カートリッジ１９の上端部における左右方向中央部、すなわち、現像フレーム２５の上壁４７の左右方向中央部よりも、上側に位置している。つまり、ドラム収容部４３の上端部（上壁４７）は、上下方向において、現像カートリッジ１９の左右方向中央部よりも、上方に向かって突出している。
【０２２８】
そして、図５に示すように、カートリッジ装着部４４の延設部７２の上端部と、ドラム収容部４３の上壁４７の上端部とを結ぶ仮想の直線Ｌ１は、現像把持部７９の上端部よりも、上側（現像カートリッジ１９に対して装着部底壁６１の反対側）に配置されている。
【０２２９】
また、現像カートリッジ１９の現像把持部７９は、現像フレーム２５に対して、前後方向においてドラム収容部４３と反対側に配置されるように、プロセスカートリッジ１５の前端部に配置される。
【０２３０】
詳しくは、現像把持部７９は、図２に示すように、延設部７２の被押込部７４に対して、左右方向外側から対向するように配置され、図１０に示すように、上下方向に投影したときに、対応する押圧部材６８と重なるように配置される。
【０２３１】
また、現像カートリッジ１９は、図９（ａ）に示すように、常には、ロックレバー６３によって、カートリッジ装着部４４からの離脱が規制されている。
【０２３２】
具体的には、ロックレバー６３の規制部９８の後端部における左側部分が、図９（ｂ）に示すように、現像カートリッジ１９の被規制部９７の前端部における右側部分に、上側から係合している。つまり、規制部９８は、離脱方向Ｙ（後述、図５参照）に投影したときに、被規制部９７と重なるように配置されている。
【０２３３】
また、ロックレバー６３のリフト部１０７（図８参照）は、現像カートリッジ１９の突部（図示せず）の下側に配置されている。
（２）現像カートリッジのドラムカートリッジからの離脱動作
現像カートリッジ１９をドラムカートリッジ１８から離脱させるには、上記した装着動作と逆の手順に操作する。
【０２３４】
具体的には、まず、ロックレバー６３を、規制部９８と被規制部９７との係合が解除されるように、前側に移動させる。
【０２３５】
そうすると、ロックレバー６３のリフト部１０７（図８参照）が、現像カートリッジ１９の突部（図示せず）に下側から当接し、現像カートリッジ１９の突部（図示せず）を上方に向かって押圧する。
【０２３６】
これにより、現像カートリッジ１９が、図５および図６に示すように、離脱方向Ｙに沿って回動され、現像カートリッジ１９の前端部（現像把持部７９）が、後上方に向けて移動される。このとき、押圧部材６８の本体部６９は、現像カートリッジ１９の回動に伴って、現像カートリッジ１９の接触部９４の下側に配置されるように、後方に向かって進出し、本体部６９が接触部９４に上側から当接される（図１０参照）。
【０２３７】
次いで、現像カートリッジ１９の現像把持部７９を把持して、現像把持部７９を後上方に向けて引き上げる。
【０２３８】
そうすると、カラー部材８４がガイド溝４８に案内され、前方に向かって移動されるとともに、ガイド湾曲面９１の後端面９０と連続面９６との連続部分が、図６に示すように、収容部側壁４５の被当接部５０に前側から当接する。
【０２３９】
そして、現像カートリッジ１９が、ガイド湾曲面９１と被当接部５０との当接部分を支点として、離脱方向Ｙ（左側面視反時計回り）に回動される。
【０２４０】
このとき、カラー部材８４は、ガイド溝４８内から離脱され、係止部４９の前下側に配置されており、収容部側壁４５と装着部側壁６０との連続部分の上側に位置される。
【０２４１】
そして、現像把持部７９を離脱方向Ｙに沿ってさらに後上方に向けて引き上げると、カラー部材８４が、図７に示すように、装着部側壁６０の上端縁に沿って前上方に向かって移動されるとともに、ガイド湾曲面９１の上端面９５が、収容部側壁４５の被当接部５０に前側から当接する。
【０２４２】
次いで、現像把持部７９を上方に向けて引き上げ、現像カートリッジ１９をドラムカートリッジ１８から上側へ離脱させる。
【０２４３】
以上によって、現像カートリッジ１９のカートリッジ装着部４４からの離脱が完了する。
【０２４４】
つまり、現像カートリッジ１９は、ドラムカートリッジ１８のカートリッジ装着部４４に対して回動されながら着脱される。
４．プロセスカートリッジの本体ケーシングへの装着動作
次に、プロセスカートリッジ１５の本体ケーシング２に対する装着動作を説明する。
【０２４５】
プロセスカートリッジ１５を本体ケーシング２に装着するには、まず、図１に示し、上記したように、本体ケーシング２のトップカバー７を開放位置に配置させる。
【０２４６】
次いで、プロセスカートリッジ１５のドラム把持部７３を把持して、感光ドラム２０のドラム軸５４の左右方向端部を本体ケーシング２のガイド部３７に嵌合させるように、プロセスカートリッジ１５を、カートリッジ開口部５を介して、本体ケーシング２内に挿入する。
【０２４７】
次いで、プロセスカートリッジ１５を、ガイド部３７に沿って後下方に押し込み、感光ドラム２０のドラム軸５４を支点として、左側面視時計回りに回動させる。
【０２４８】
そして、感光ドラム２０のドラム軸５４が、ガイド部３７の後端部に配置され、ドラムカートリッジ１８の延設部７２が、レーザービームＬの出射軌跡よりも下側に配置されると、プロセスカートリッジ１５の本体ケーシング２への装着が完了する。
【０２４９】
このとき、延設部７２は、レーザービームＬの出射軌跡に対して下側に間隔を隔てるように配置されているので、レーザービームＬに干渉しない。
【０２５０】
次いで、本体ケーシング２のトップカバー７を開放位置から閉鎖位置に向けて移動させる。
【０２５１】
このとき、図１１に示すように、プロセスカートリッジ１５の本体ケーシング２への装着が不十分であった場合、押込部１０が被押込部７４の上端部に対し上側から当接する。
【０２５２】
そして、トップカバー７の移動に伴って、プロセスカートリッジ１５が、押込部１０により被押込部７４を介して下方に向かって押圧される。
【０２５３】
これにより、プロセスカートリッジ１５が、図１に示すように、本体ケーシング２内における適切な装着位置に配置される。
【０２５４】
以上によって、プロセスカートリッジ１５の本体ケーシング２に対する装着が完了する。
【０２５５】
また、トップカバー７が閉鎖位置に配置された状態において、押込部１０は、レーザービームＬに対して左右方向外側に間隔を隔てるように配置され、トップカバー７は、装着されたプロセスカートリッジ１５に対して、上側に間隔を隔てるように配置されている。つまり、押込部１０およびトップカバー７は、レーザービームＬに干渉しないように配置されている。
５．作用効果
（１）プロセスカートリッジ１５では、図５に示すように、カートリッジ装着部４４が、上下方向（第２方向）において現像カートリッジ１９と対向する装着部底壁６１、および、上下方向において現像カートリッジ１９よりも、上方に向かって突出するように延びる延設部７２を有している。また、ドラム収容部４３の上側部分が、上下方向において現像カートリッジ１９の左右方向（軸線方向）中央部よりも上方に向かって突出している。
【０２５６】
そのため、プロセスカートリッジ１５に対して下側（上下方向において装着部底壁６１に対して現像カートリッジ１９の反対側）から衝撃が加わった場合、その衝撃は、装着部底壁６１に作用する。一方、プロセスカートリッジ１５に対して上側（上下方向において現像カートリッジ１９に対して装着部底壁６１の反対側）から衝撃が加わった場合、その衝撃は、延設部７２の上端部およびドラム収容部４３の上端部（上壁４７）に作用する。
【０２５７】
つまり、上下方向外側からプロセスカートリッジに加わる衝撃は、装着部底壁６１、または、延設部７２およびドラム収容部４３（上壁４７）に作用し、それらを介してドラムカートリッジ１８に作用する。
【０２５８】
そのため、上下方向外側からプロセスカートリッジ１５に加わった衝撃が、現像カートリッジ１９に作用することを抑制できる。
【０２５９】
とりわけ、プロセスカートリッジ１５を誤って落下させてしまった場合には、装着部底壁６１、または、延設部７２およびドラム収容部４３（上壁４７）が床面などと衝突する。そのため、その衝突による衝撃は、装着部底壁６１、または、延設部７２およびドラム収容部４３を介してドラムカートリッジ１８に作用し、現像カートリッジ１９に作用することが抑制される。その結果、現像カートリッジ１９に収容されるトナーが漏れ出すことを抑制できる。
【０２６０】
従って、簡易な構成でありながら、上下方向外側からプロセスカートリッジ１５に衝撃が加わっても、現像カートリッジ１９からのトナーの漏れを抑制することができる。
（２）また、現像カートリッジ１９は、図５に示すように、カートリッジ装着部４４に装着された状態において、前後方向（第１方向）において、延設部７２とドラム収容部４３との間に配置されている。
【０２６１】
そのため、現像カートリッジ１９に対して、後側にドラム収容部４３が配置され、前側に延設部７２が配置されている。つまり、現像カートリッジ１９の前後方向における両側には、上下方向において現像カートリッジ１９よりも突出する部分（延設部７２またはドラム収容部４３）が配置されている。
【０２６２】
そのため、プロセスカートリッジ１５に対する上側からの衝撃が、延設部７２およびドラム収容部４３に確実に作用し、現像カートリッジ１９に作用することを確実に抑制できる。
（３）また、延設部７２は、図２に示すように、左右方向に延びる略平板形状に形成されている。
【０２６３】
そのため、上側からプロセスカートリッジ１５に衝撃が加わった場合、その衝撃が確実に延設部７２に作用する。
【０２６４】
その結果、プロセスカートリッジ１５に対する上側からの衝撃が、現像カートリッジ１９に作用することをより一層確実に抑制できる。
（４）また、前壁６２および延設部７２は、図１０に示すように、前壁６２の下端部（上下方向における装着部底壁６１側の端部である第１端部）から、延設部７２の上端部（上下方向における第１端部とは反対側の端部である第２端部）に向かうに従って、現像カートリッジ１９から離れるように、前方に向かって傾斜している。
【０２６５】
そのため、現像カートリッジ１９と延設部７２の上端部との間に相対的に大きなスペースを確保することができる。
【０２６６】
その結果、延設部７２の上端部に加わった衝撃が、現像カートリッジ１９に作用することをより一層確実に抑制できる。
（５）また、延設部７２は、図１０に示すように、その上端部（上下方向における装着部底壁６１とは反対側）に、ドラムカートリッジ１８を把持するためのドラム把持部７３を備えている。
【０２６７】
そのため、プロセスカートリッジ１５を操作するときに、ドラム把持部７３を把持できる。その結果、プロセスカートリッジ１５の操作性の向上を図ることができる。
【０２６８】
とりわけ、プロセスカートリッジ１５を本体ケーシング２に着脱するときに、ドラム把持部７３を把持できるので、プロセスカートリッジ１５の本体ケーシング２に対する着脱作業の円滑化を図ることができる。
（６）また、ドラム把持部７３の把持部分１０２の上端部（上下方向における装着部底壁６１とは反対側の端部）は、図２に示すように、左右方向すべてにわたって、現像把持部７９よりも上側に位置している。
【０２６９】
そのため、ドラム把持部７３に対して容易にアクセスすることができる。
（７）また、ドラム把持部７３は、図１０に示すように、延設部７２の後面から、後方（前後方向においてドラム収容部４３側）に向かって突出する把持部分１０２を有している。
【０２７０】
また、把持部分１０２の上端縁における後端部（突出方向下流側の端部）は、把持部分１０２の上端縁における前端部（突出方向上流側の端部）よりも下側（装着部底壁６１側）に位置されている。
【０２７１】
そのため、ユーザはドラム把持部７３を確実に把持でき、プロセスカートリッジ１５の操作性のさらなる向上を図ることができる。
（８）また、現像カートリッジ１９は、図５〜図７に示すように、カートリッジ装着部４４に対して回動されながら着脱される。
【０２７２】
しかるに、カートリッジ装着部４４は、図３に示すように、現像カートリッジ１９を着脱可能に収容するので、現像カートリッジ１９を着脱させるための着脱スペースＳを有するように形成されている。
【０２７３】
この点、図５〜図７に示すように、現像カートリッジ１９が回動されながら着脱されるので、着脱スペースＳの低減を図ることができる。
【０２７４】
そのため、カートリッジ装着部４４の小型化を図ることができ、ひいては、プロセスカートリッジ１５の小型化を図ることができる。
【０２７５】
また、ドラムフレーム４２は、図５に示すように、現像カートリッジ１９に対して、左右方向外側（軸線方向外側）から対向する収容部側壁４５および装着部側壁６０を備えている。
【０２７６】
そのため、左右方向外側からプロセスカートリッジ１５に衝撃が加えられた場合、その衝撃が、収容部側壁４５および装着部側壁６０を介してドラムカートリッジ１８に作用する。
【０２７７】
その結果、プロセスカートリッジ１５に対する左右方向外側からの衝撃が、現像カートリッジ１９に作用することを抑制できる。
【０２７８】
また、収容部側壁４５および装着部側壁６０は、現像カートリッジ１９の回動を案内するための案内部５１を備えている。
【０２７９】
そのため、図５〜図７に示すように、現像カートリッジ１９の回動が案内部５１により案内され、現像カートリッジ１９の円滑な回動動作を確保することができる。
（９）また、案内部５１は、図５に示すように、現像カートリッジ１９の装着方向Ｘ（着脱方向）に延びるガイド溝４８を有している。また、現像カートリッジ１９は、左右方向外方に向かって突出するカラー部材８４を備えている。
【０２８０】
そして、現像カートリッジ１９のカラー部材８４が、カートリッジ装着部４４に着脱されるときに、ガイド溝４８によって案内される。
【０２８１】
そのため、現像カートリッジ１９のカートリッジ装着部４４に対する円滑な着脱動作を確保することができる。
【０２８２】
また、現像カートリッジ１９は、左右方向外方に向かって突出する当接部８９を備えている。
【０２８３】
そして、図６および図７に示すように、カラー部材８４が案内部５１に案内されている状態、すなわち、現像カートリッジ１９の着脱途中において、当接部８９とドラム収容部４３の被当接部５０とが当接する。
【０２８４】
そのため、現像カートリッジ１９は、当接部８９と被当接部５０との当接部分を支点として、円滑に回動できる。その結果、現像カートリッジ１９の円滑な回動動作を確実に確保できる。
（１０）また、現像カートリッジ１９は、図９（ｂ）に示すように、現像フレーム２５の右側において、本体ケーシング２に設けられる本体電極（図示せず）に電気的に接続可能に構成される給電ユニット８３を備えている。
【０２８５】
そのため、現像カートリッジ１９に本体電極（図示せず）からのバイアスを供給することができる。
【０２８６】
また、右側の現像側壁７６には、厚肉部５９が設けられており、厚肉部５９の右端部は、給電ユニット８３の右端部よりも僅かに右側（軸線方向外側）に配置されている。
【０２８７】
そのため、右側からプロセスカートリッジ１５に衝撃が加えられた場合、その衝撃が、右側の現像側壁７６の厚肉部５９に確実に作用する。
【０２８８】
その結果、給電ユニット８３を備えることができながら、右側からの衝撃が現像カートリッジ１９に作用することを抑制できる。
（１１）また、カートリッジ装着部４４は、図９（ｂ）に示すように、現像カートリッジ１９のカートリッジ装着部４４からの離脱を規制するためのロックレバー６３を備えている。
【０２８９】
また、現像カートリッジ１９は、ロックレバー６３と係合する被規制部９７を備え、ロックレバー６３は、上下方向（詳しくは、現像カートリッジ１９の離脱方向Ｙ（図５参照））に投影したときに、被規制部９７と重なるように配置される。
【０２９０】
そのため、現像カートリッジ１９のカートリッジ装着部４４からの所望しない離脱を規制できる。
【０２９１】
その結果、例え、プロセスカートリッジ１５を誤って落下させてしまった場合であっても、現像カートリッジ１９がカートリッジ装着部４４から離脱することを抑制できる。従って、現像カートリッジ１９に落下による衝撃が作用することを確実に抑制できる。
（１２）また、現像カートリッジ１９は、図１０に示すように、その前端部（前後方向においてドラム収容部４３とは反対側）に、カートリッジ装着部４４に対して着脱されるときに把持される現像把持部７９を備えている。
【０２９２】
そのため、現像カートリッジ１９をカートリッジ装着部４４に対して着脱するときに現像把持部７９を把持でき、現像カートリッジ１９のカートリッジ装着部４４に対する着脱作業の円滑化を図ることができる。
【０２９３】
また、カートリッジ装着部４４には、上下方向に投影したときに、現像把持部７９と重なるように配置される押圧部材６８が設けられている。
【０２９４】
そして、押圧部材６８は、常には、現像カートリッジ１９を感光ドラム２０に向かうように、後方に押圧している。
【０２９５】
そのため、現像カートリッジ１９と感光ドラム２０との相対的な位置決め精度の向上を図ることができる。また、現像把持部７９と押圧部材６８とが、上下方向に投影したときに重なるように配置されているので、現像把持部７９および押圧部材６８の効率的な配置を確保することができる。
（１３）また、現像カートリッジ１９の現像底壁７７には、図１０に示すように、装着部底壁６１に接触される接触部９４が設けられている。
【０２９６】
また、ドラムカートリッジ１８の装着部底壁６１には、接触部９４に接触される被接触部６５を備えている。
【０２９７】
そのため、装着された現像カートリッジ１９のカートリッジ装着部４４に対する相対的な位置決め精度の向上を図ることができる。
【０２９８】
また、被接触部６５は、押圧部材６８に対して、前下側（現像カートリッジ１９の離脱方向Ｙ上流側）に配置されている。
【０２９９】
そのため、被接触部６５および押圧部材６８の効率的な配置を確保することができる。
（１４）また、ドラム収容部４３は、図１０に示すように、感光ドラム２０を帯電するように構成されるスコロトロン型帯電器２２を備えている。
【０３００】
そのため、感光ドラム２０を確実に帯電させることができる。
（１５）プリンタ１では、図１に示すように、スキャナユニット１６を備え、延設部７２がレーザービームＬに干渉しないように配置されている。
【０３０１】
そのため、感光ドラム２０を確実に露光することができ、感光ドラム２０に静電潜像を形成することができる。
【０３０２】
その結果、プロセスカートリッジ１５が延設部７２を備えることができながら、感光ドラム２０に確実に静電潜像を形成することができる。
（１６）また、延設部７２は、図１に示すように、レーザービームＬに対して、下側（第２方向一方側）に間隔を隔てるように配置されている。
【０３０３】
そのため、延設部７２がレーザービームＬに干渉することを確実に抑制できる。
（１７）また、本体ケーシング２は、図１に示すように、上下方向に移動可能なトップカバー７を備えている。また、トップカバー７は、押込部１０を備えている。
【０３０４】
そして、トップカバー７は、図１１に示すように、開放位置から閉鎖位置に向けて移動するときに、プロセスカートリッジ１５が本体ケーシング２に対して装着途中である場合（プロセスカートリッジ１５の本体ケーシング２への装着が不十分である場合）、押込部１０が、延設部７２に設けられる被押込部７４の上端部に対し上側から当接する。
【０３０５】
そして、トップカバー７の移動に伴って、プロセスカートリッジ１５が、押込部１０により被押込部７４を介して下方（第２方向一方側）に向かって押圧される。
【０３０６】
そのため、プロセスカートリッジ１５は、装着途中の位置から所定の装着位置に移動される。
【０３０７】
その結果、トップカバー７を移動（揺動）させることにより、プロセスカートリッジ１５を本体ケーシング２に確実に装着させることができる。
（１８）また、押込部１０は、図１に示すように、レーザービームＬに対して左右方向（軸線方向）外側に間隔を隔てるように配置されている。
【０３０８】
そのため、押込部１０が、レーザービームＬに干渉することを確実に抑制できる。
（１９）また、トップカバー７は、閉鎖位置に配置された状態において、装着されたプロセスカートリッジ１５に対して、上側（第２方向他方側）に間隔を隔てるように配置されている。
【０３０９】
そのため、上下方向におけるプロセスカートリッジ１５とトップカバー７との間に、レーザービームＬを通過させるためのスペースを確保することができる。
６．第２実施形態
次に、本発明のプロセスカートリッジの第２実施形態について説明する。
【０３１０】
図１２（ａ）は、本発明の画像形成装置の第２実施形態のプリンタにかかるプロセスカートリッジを左上側から見た斜視図であり、図１２（ｂ）は、図１２（ａ）に示すプロセスカートリッジの左側面図である。
【０３１１】
図１２において、図１〜図１１に示す各部に対応する部分には、それらの各部と同一の参照符号を付し、その説明を省略する。
【０３１２】
第１実施形態に係るプロセスカートリッジ１５では、図２に示すように、ドラムカートリッジ１８が、カートリッジ装着部４４の前壁６２と一体的に形成される延設部７２を備えている。
【０３１３】
これに対して、第２実施形態に係るプロセスカートリッジ１５では、図１２に示すように、ドラムカートリッジ１８が、カートリッジ装着部４４の前壁６２から分離可能に構成されるドラム把持部１０５を備えている。
【０３１４】
ドラム把持部１０５は、図１２（ａ）に示すように、下方に向かって開放される正面視略Ｕ字状に形成されている。なお、第２実施形態においては、ドラム把持部１０５が第１部分の一例として対応する。
【０３１５】
そして、ドラム把持部１０５は、前壁６２とは別に成形された後、各遊端部が、前壁６２の上端部における左右方向中央部分を跨ぐように、前壁６２に固定されて、ドラムフレーム４２のカートリッジ装着部４４に組み付けられる。
【０３１６】
そのため、延設部７２と前壁６２とを一体として成形する場合と比較して、延設部７２を容易に成形でき、製造コストの低減を図ることができる。
【０３１７】
また、ドラム把持部１０５の上端部は、図１２（ｂ）に示すように、その左右方向すべてにわたって、現像把持部７９の上端部よりも、上側に配置されている。また、ドラム把持部１０５の上端部と、ドラム収容部４３の上壁４７の上端部とを結ぶ仮想の直線Ｌ２も、現像把持部７９の上端部よりも、上側に配置されている。
【０３１８】
そのため、第２実施形態においても、上記した第１実施形態と同様の作用効果を奏することができる。
７．第３実施形態
次に、本発明のプロセスカートリッジの第３実施形態について説明する。
【０３１９】
図１３（ａ）は、本発明の画像形成装置の第３実施形態のプリンタにかかるプロセスカートリッジを左上側から見た斜視図であり、図１３（ｂ）は、図１３（ａ）に示すプロセスカートリッジの左側面図である。
【０３２０】
第１実施形態および第２実施形態に係るプロセスカートリッジ１５では、図２および図１２に示すように、現像フレーム２５が、その左右方向すべてにわたって、ドラム収容部４３の上端部よりも下側に配置されている。
【０３２１】
これに対して、第３実施形態に係るプロセスカートリッジ１５では、図１３に示すように、現像フレーム２５の現像上壁７５における左右方向両端部のそれぞれに、拡張部１１０が設けられ、拡張部１１０の上端部が、ドラム収容部４３の上端部よりも上側に配置されている。
【０３２２】
拡張部１１０は、図１３（ｂ）に示すように、下側が開放される略ボックス形状に形成され、現像上壁７５の上面から、前上方に向かって突出する側面視略矩形状に形成されている。そして、拡張部１１０は、その内部空間が、現像上壁７５に形成される開口（図示せず）を介して、トナー収容室２６と連通されている。
【０３２３】
この場合においても、ドラム収容部４３の上端部（上壁４７の上端部）が、図１３（ａ）に示すように、現像フレーム２５の上壁４７の左右方向中央部よりも、上側に位置しているので、上記した第１実施形態と同様の作用効果を奏することができる。
【０３２４】
また、現像上壁７５に、トナー収容室２６と連通される拡張部１１０が設けられているので、現像フレーム２５の容積を大きくすることができ、現像フレーム２５のトナーの充填量の向上を図ることができる。
８．変形例
上記したプリンタ１は、本発明の画像形成装置の一実施形態であり、本発明は、上記した実施形態に限定されない。
【０３２５】
本発明の画像形成装置は、上記したモノクロプリンタの他、カラープリンタとして構成することもできる。
【０３２６】
画像形成装置をカラープリンタとして構成する場合には、複数の感光体と記録媒体搬送部材とを備えるダイレクト方式のタンデム型カラープリンタや、複数の感光体と、中間転写体と、転写部材とを備える中間転写方式のタンデム型カラープリンタとして構成することができる。
【０３２７】
また、現像カートリッジ１９は、現像ローラ３４を有するフレームに対し、トナーが収容されるトナーカートリッジが着脱自在に装着されるように構成することもできる。
【０３２８】
また、上記した感光ドラム２０に代えて、例えば、感光ベルトなどの感光体を適用することもできる。
【０３２９】
また、上記した現像ローラ３４に代えて、例えば、現像スリーブ、現像ベルト、ブラシ状のローラなどの現像剤担持体を適用することもできる。
【０３３０】
また、上記した供給ローラ３３に代えて、例えば、供給スリーブ、供給ベルト、ブラシ状のローラなどの供給部材を適用することもできる。
【０３３１】
また、上記したアジテータ２９に代えて、例えば、オーガスクリューや搬送ベルトなどの搬送部材を適用することもできる。
【０３３２】
また、上記した転写ローラ２１に代えて、例えば、転写ベルト、転写ブラシ、転写ブレード、フィルム型転写装置などの接触型の転写部材や、例えば、コロトロンタイプなどの非接触型の転写部材などを適用することもできる。
【０３３３】
また、上記したスコロトロン型帯電器２２に代えて、例えば、コロトロン型帯電器、鋸歯状の放電部材などの非接触型の帯電器や、帯電ローラなどの接触型の帯電器などを適用することもできる。
【０３３４】
また、上記した延設部７２は、図３に示すように、ドラムフレーム４２における左右方向略中央部分（具体的には、前壁６２の上端部における左右方向略中央部分）に設けられたが、これに限定されず、ドラムフレーム４２における左右両端部のそれぞれに１つずつ設けられてもよい。
【０３３５】
具体的には、延設部７２は、各現像把持部７９の前側に配置されるように、前壁６２の上端部における左右両端部のそれぞれに設けられていてもよい。
【０３３６】
また、上記した延設部７２は、ドラムフレーム４２の前端部、具体的には、前壁６２に設けられたが、これに限定されず、ドラムフレーム４２の装着部側壁６０の上端部から上方に向かって突出するように設けられてもよい。
【０３３７】
また、上記した現像把持部７９は、図４に示すように、現像カートリッジ１９の現像フレーム２５と一体的に設けられたが、これに限定されず、現像フレーム２５と別体として設けられてもよい。
【０３３８】
さらに、本発明の画像形成装置は、画像読取部などを装備して、複合機として構成することもできる。
【０３３９】
これらによっても、上記した第１実施形態〜第３実施形態と同様の作用効果を奏することができる。
【０３４０】
なお、上記した第１実施形態〜第３実施形態および変形例は、適宜組み合わせることができる。
【符号の説明】
【０３４１】
１      プリンタ
２      本体ケーシング
７      トップカバー
１０    押込部
１５    プロセスカートリッジ
１６    スキャナユニット
１８    ドラムカートリッジ
１９    現像カートリッジ
２０    感光ドラム
２２    スコロトロン型帯電器
４２    ドラムフレーム
４３    ドラム収容部
４４    カートリッジ装着部
４５    収容部側壁
４７    上壁
４８    ガイド溝
５１    案内部
６０    装着部側壁
６１    装着部底壁
６２    前壁
６３    ロックレバー
６５    被接触部
６８    押圧部材
７２    延設部
７３    ドラム把持部
７９    現像把持部
８３    給電ユニット
８４    カラー部材
８９    当接部
９４    接触部
９７    被規制部
１０２  把持部分
１０５  ドラム把持部
Ｌ      レーザービーム
Ａ      中心軸線
Ｘ      装着方向
Ｙ      離脱方向
Ｓ      着脱スペース
【図１】
2014016496.tif 000003
【図２】
2014016496.tif 000004
【図３】
2014016496.tif 000005
【図４】
2014016496.tif 000006
【図５】
2014016496.tif 000007
【図６】
2014016496.tif 000008
【図７】
2014016496.tif 000009
【図８】
2014016496.tif 000010
【図９】
2014016496.tif 000011
【図１０】
2014016496.tif 000012
【図１１】
2014016496.tif 000013
【図１２】
2014016496.tif 000014
【図１３】
2014016496.tif 000015